(57)【特許請求の範囲】
【請求項１】
ランプの軸線を囲む３以上の複数の側面部を備え、
各々の前記側面部は、
光源部に対して前記軸線の方向の両側に非光源部が隣り合うように、前記軸線に平行な同一面上に形成された第一の並びと、
非光源部に対して前記軸線の方向の両側に光源部が隣り合うように、前記軸線に平行な同一面上に形成された第二の並びと、
の少なくとも一方を備え、
前記非光源部は、前記光源部で発生した熱を放熱させるフィンを備え、
前記光源部の光軸は、前記軸線に対して垂直であり、
互いに隣り合う二つの前記側面部のうちの、一方の前記側面部の前記光源部は、他方の前記側面部の前記光源部に対して、前記軸線の方向の位置が異なり、
互いに隣り合う二つの前記側面部のうちの、一方の前記側面部の前記光源部は、他方の前記側面部の前記フィンに対して、前記軸線の方向の位置について重なりを有するランプ。
【請求項２】
前記複数の前記側面部のうちの少なくとも一つでは、前記光源部と前記非光源部とが前記軸線の方向に沿って交互に並ぶ請求項１に記載のランプ。
【請求項３】
外側から見たときにランプの軸線を中心とする周方向に沿って光源部及び非光源部が交互に隣り合う一段目の部位と、
外側から見たときに前記周方向に沿って光源部及び非光源部が交互に隣り合う二段目の部位と、
を備え、
前記二段目の部位は、前記一段目の部位に対して前記軸線の方向に隣り合い、
前記非光源部は、前記光源部で発生した熱を放熱させるフィンを備え、
前記二段目の部位の前記光源部は、前記一段目の部位の前記光源部に対して、前記周方向の位置が異なり、
前記一段目の部位の前記光源部と、前記一段目の部位の前記光源部と隣り合う前記二段目の部位の前記フィンとは、前記軸線に平行な同一面上に形成されており、
前記二段目の部位の前記光源部と、前記二段目の部位の前記光源部と隣り合う前記一段目の部位の前記フィンとは、前記軸線に平行な同一面上に形成されており、
前記光源部の光軸は、前記軸線に対して垂直であるランプ。
【請求項４】
前記二段目の部位の前記光源部は、前記周方向の位置に関して、前記軸線を中心として前記一段目の部位の前記光源部を回転移動した位置にある請求項３に記載のランプ。
【請求項５】
前記二段目の部位の前記光源部は、前記一段目の部位の前記非光源部に対して、前記周方向の位置が同じであり、
前記二段目の部位の前記非光源部は、前記一段目の部位の前記光源部に対して、前記周方向の位置が同じである請求項３または請求項４に記載のランプ。
【請求項６】
前記光源部及び前記フィンを含む光源ユニットを複数備え、
前記ランプの軸線に平行な少なくとも１本の支柱を備え、
各々の前記光源ユニットは、前記支柱に支持される被支持部を備える請求項１から請求項５のいずれか一項に記載のランプ。
【発明の詳細な説明】
【技術分野】
【０００１】
本発明は、ランプに関する。
【背景技術】
【０００２】
下記特許文献１には、以下のようなランプが開示されている。発光素子が実装される実装基板を基体の表面に有する複数の平板状の光源ユニットを備え、これら光源ユニットが各基体の裏面を内側に向けて軸線周囲に配列されている。複数の光源ユニットを、隣り合う光源ユニット間に隙間を設けて収容体に支持し、各基体の裏面側に空気が流通する空間を設ける。基体の裏面に、複数の放熱フィンが設けられている。
【先行技術文献】
【特許文献】
【０００３】
【特許文献１】特許第５５５９８２４号公報
【発明の概要】
【発明が解決しようとする課題】
【０００４】
特許文献１のランプでは、基体の裏面の放熱フィンへの通気を良好にするためには、隣り合う光源ユニット間の隙間を大きくする必要がある。しかしながら、隣り合う光源ユニット間の隙間が大きいと、その隙間の位置からは光が放射されないので、ランプの周囲に、影のような、光度の低い領域が生じやすい。隣り合う光源ユニット間の隙間を狭くすると、裏面にある放熱フィンへの通気が不十分になり、フィンの放熱効率が下がり、発光素子の温度が高くなりやすい。
【０００５】
本発明は、上述のような課題を解決するためになされたもので、周囲への良好な配光と、フィンの放熱効率の向上とを両立できるランプを提供することを目的とする。
【課題を解決するための手段】
【０００６】
本発明に係るランプは、ランプの軸線を囲む３以上の複数の側面部を備え、各々の側面部は、光源部に対して軸線の方向の両側に非光源部が隣り合うように、軸線に平行な同一面上に形成された第一の並びと、非光源部に対して軸線の方向の両側に光源部が隣り合うように、軸線に平行な同一面上に形成された第二の並びと、の少なくとも一方を備え、非光源部は、光源部で発生した熱を放熱させるフィンを備え、光源部の光軸は、軸線に対して垂直であり、互いに隣り合う二つの側面部のうちの、一方の側面部の光源部は、他方の側面部の光源部に対して、軸線の方向の位置が異なり、互いに隣り合う二つの側面部のうちの、一方の側面部の光源部は、他方の側面部のフィンに対して、軸線の方向の位置について重なりを有するものである。
また、本発明に係るランプは、外側から見たときにランプの軸線を中心とする周方向に沿って光源部及び非光源部が交互に隣り合う一段目の部位と、外側から見たときに周方向に沿って光源部及び非光源部が交互に隣り合う二段目の部位と、を備え、二段目の部位は、一段目の部位に対して軸線の方向に隣り合い、非光源部は、光源部で発生した熱を放熱させるフィンを備え、二段目の部位の光源部は、一段目の部位の光源部に対して、周方向の位置が異なり、一段目の部位の光源部と、一段目の部位の光源部と隣り合う二段目の部位のフィンとは、軸線に平行な同一面上に形成されており、二段目の部位の光源部と、二段目の部位の光源部と隣り合う一段目の部位のフィンとは、軸線に平行な同一面上に形成されており、光源部の光軸は、軸線に対して垂直であるものである。
【発明の効果】
【０００７】
本発明のランプによれば、周囲への良好な配光と、フィンの放熱効率の向上とを両立することが可能となる。
【図面の簡単な説明】
【０００８】
【図１】実施の形態１のランプの斜視図である。
【図２】実施の形態１のランプを軸線の方向から見た図である。
【図３】実施の形態１のランプが備える光源ユニットを示す斜視図である。
【図４】実施の形態１のランプが備える光源ユニットを軸線の方向から見た図である。
【図５】実施の形態２のランプの斜視図である。
【図６】実施の形態２のランプを軸線の方向から見た図である。
【図７】実施の形態２のランプが備える光源ユニットを示す斜視図である。
【図８】実施の形態２のランプが備える光源ユニットを軸線の方向から見た図である。
【図９】実施の形態２のランプが備える光源ユニットを光源部の裏面側から見た斜視図である。
【図１０】実施の形態３のランプの斜視図である。
【図１１】実施の形態３のランプを軸線の方向から見た図である。
【図１２】実施の形態３のランプが備える光源ユニットを示す斜視図である。
【図１３】実施の形態３のランプが備える光源ユニットを軸線の方向から見た図である。
【図１４】実施の形態３の変形例の光源ユニットを示す斜視図である。
【図１５】実施の形態４のランプの斜視図である。
【図１６】実施の形態４のランプを軸線の方向から見た図である。
【図１７】実施の形態４のランプが備える光源ユニットを示す斜視図である。
【図１８】実施の形態４のランプが備える光源ユニットを軸線の方向から見た図である。
【図１９】実施の形態４のランプが備える光源ユニットを示す斜視図である。
【図２０】実施の形態５のランプの斜視図である。
【図２１】実施の形態５のランプが備える光源ユニットを示す斜視図である。
【図２２】実施の形態６のランプを模式的に示す図である。
【図２３】実施の形態７のランプを模式的に示す図である。
【図２４】実施の形態８のランプを模式的に示す図である。
【図２５】実施の形態９のランプを模式的に示す図である。
【図２６】実施の形態１０のランプを模式的に示す図である。
【図２７】実施の形態１１のランプを模式的に示す図である。
【図２８】実施の形態１２のランプを模式的に示す図である。
【図２９】実施の形態１３のランプを模式的に示す図である。
【図３０】実施の形態１４のランプを模式的に示す図である。
【発明を実施するための形態】
【０００９】
以下、図面を参照して実施の形態について説明する。本開示は、以下の各実施の形態で説明する構成のうち、組合わせ可能な構成のあらゆる組合わせを含み得る。
【００１０】
実施の形態１．
図１は、実施の形態１のランプ１Ａの斜視図である。本実施の形態のランプ１Ａの用途は、特に限定されるものではないが、例えば、街路灯器具、道路灯器具、高天井器具などの屋内及び屋外の照明器具に取り付け可能な、Ｈｉｇｈ  Ｉｎｔｅｎｓｉｔｙ  Ｄｉｓｃｈａｒｇｅｄ（ＨＩＤ）形のランプとして使用してもよい。ランプ１Ａは、例えば水銀ランプのような従来のＨＩＤ形ランプの代替として使用してもよい。
【００１１】
図１に示すように、ランプ１Ａは、ランプ１Ａの軸線ａｘを囲む六つの側面部を備える。各々の側面部は、光源部２と、通気部３とを備える。光源部２は、ランプ１Ａの外側に向かって光を放射する。光源部２の光軸は、軸線ａｘに対して垂直な方向でもよい。光源部２が放射する光の最大光度となる方向は、軸線ａｘに対して垂直な方向でもよい。軸線ａｘを囲む六つの側面部の各々が光源部２を備えることで、以下の効果が得られる。軸線ａｘの周囲への配光を良好にできる。例えば、軸線ａｘに対して全周囲配光が得られる。あるいは、全周囲配光に近い、均一性の高い配光が得られる。軸線ａｘの周囲に、影のような、光度の低い領域が生じにくくなる。
【００１２】
ランプ１Ａの六つの側面部は、軸線ａｘを中心として、６０°間隔、すなわち等角度間隔に位置する。このように、複数の側面部が軸線ａｘを中心として等角度間隔に位置することで、上記効果をより確実に奏することが可能となる。本発明のランプが備える側面部の数は、六つに限定されない。本発明のランプが備える側面部の数は、三つ以上が好ましく、四つ以上がより好ましい。最低三つの側面部が軸線ａｘを囲むことで、上記効果に類似した効果が得られる。各々の側面部を光源部２の表側から見たとき、当該側面部の軸線ａｘの方向の長さは、それに対して垂直な方向の長さより長い。各々の側面部の形状は、光源部２の表側から見たとき、長方形を呈する。
【００１３】
ランプ１Ａは、光源部２で発生した熱を放熱させる複数のフィン４を備える。フィン４は、少なくとも部分的に、光源部２の裏面側にある。フィン４を備えたことで、表面積を大きくできるので、放熱を促進できる。本実施の形態におけるフィン４は、少なくとも部分的に、ランプ１Ａの六つの側面部に対して内側にある。通気部３は、フィン４に通気する開口すなわち通気口として作用する。通気部３は、フィン４の間の空間に連通する。ランプ１Ａの外部空間から、フィン４の間の空間へ、またはその逆方向へ、空気が通気部３を通って流れることができる。本実施の形態における通気部３は、光源部２と同一面上に形成されている。通気部３は、非光源部の例である。
【００１４】
本実施の形態であれば、ランプ１Ａの側面部の各々が通気部３を備えたことで、以下の効果が得られる。フィン４への通気性を良好にできる。フィン４の放熱効率を高くできる。光源部２の温度を低くできる。光源部２の発光効率を高くできる。光源部２の寿命を長くできる。ヒートシンクの重量を大きくしなくても光源部２の放熱性を良好にできるので、ランプ１Ａの軽量化が図れる。側面部の各々が通気部３を備えるので、側面部と側面部との間を空気が流れる必要はない。このため、隣り合う二つの側面部のうちの一方の側面部の光源部２と、他方の側面部の光源部２との間で、軸線ａｘを中心とする周方向の距離を小さくできる。それゆえ、軸線ａｘの周囲に、影のような、光度の低い領域が生じにくくなる。
【００１５】
本実施の形態のランプ１Ａは、口金５を備える。口金５の中心軸は、軸線ａｘに一致する。口金５は、例えば、Ｅ３９口金（Φ３９ｍｍ）、Ｅ２６口金（Φ２６ｍｍ）等のねじ込み式の口金でもよい。照明器具が備えるソケット（図示省略）に口金５を差し込むことでランプ１Ａが当該照明器具に装着されてもよい。ランプ１Ａは、口金５が上向きまたは斜め上向き、口金５が下向きまたは斜め下向き、口金５が横向きなど、いかなる姿勢でも使用されてもよい。
【００１６】
本実施の形態のランプ１Ａは、第一フレーム６及び第二フレーム７を備える。第一フレーム６は、正六角形の外縁形状を有する。第一フレーム６は、板状または枠状を呈する。第一フレーム６の中心軸は、軸線ａｘに一致する。口金５は、第一フレーム６に対して接続部８を介して固定されている。接続部８の少なくとも一部は、絶縁性を有する樹脂材料で構成されてもよい。
【００１７】
第二フレーム７は、正六角形の外縁形状を有する。第二フレーム７の外縁形状は、第一フレーム６の外縁形状に実質的に等しい。第二フレーム７は、枠状を呈する。第二フレーム７の中心軸は、軸線ａｘに一致する。第二フレーム７は、第一フレーム６に比べて、口金５から遠い位置にある。第一フレーム６の外縁形状が有する六辺の各々の辺と、第二フレーム７の外縁形状が有する六辺の各々の辺との間の長方形の領域が、ランプ１Ａの側面部の領域に対応する。
【００１８】
ランプ１Ａの各々の側面部は、光源部２に対して軸線ａｘの方向の両側に非光源部すなわち通気部３が隣り合う第一の並び１１と、非光源部すなわち通気部３に対して軸線ａｘの方向の両側に光源部２が隣り合う第二の並び１２と、の双方を備える。
【００１９】
第一の並び１１を備えることで、以下の効果が得られる。各々の光源部２に両側に隣接した通気部３があることで、フィン４への通気性がより良好になり、放熱性がより良好になり、光源部２の低温化に有利になる。
【００２０】
第二の並び１２を備えることで、以下の効果が得られる。各々の光源部２に隣接した通気部３があることで、フィン４への通気性がより良好になり、放熱性がより良好になり、光源部２の低温化に有利になる。
【００２１】
本発明では、各々の側面部が第一の並び１１と第二の並び１２とのいずれか一方のみを備えるようにしてもよい。その場合でも、本実施の形態の効果に類似した効果が得られる。
【００２２】
本実施の形態では、ランプ１Ａの各々の側面部は、二つの光源部２と、二つの非光源部すなわち通気部３とを含む。本発明のランプにおいて、各々の側面部が含む光源部２及び非光源部の数は、上記の数に限定されないことは言うまでもない。例えば、以下のようにしてもよい。各々の側面部は、一つの光源部２と、二つの非光源部を含むものでもよい。各々の側面部は、二つの光源部２と、三つの非光源部を含むものでもよい。各々の側面部は、二つ以上の光源部２と、二つ以上の非光源部を含むものでもよい。
【００２３】
本実施の形態では、ランプ１Ａの各々の側面部において、二つの光源部２と、二つの通気部３とが、軸線ａｘの方向に沿って、交互に並ぶ。ランプ１Ａの各々の側面部において、光源部２と通気部３とが軸線ａｘの方向に沿って交互に並ぶことで、以下の効果が得られる。軸線ａｘの方向に沿った配光をより良好にできる。フィン４への通気性がより良好になり、放熱性がより良好になり、光源部２の低温化に有利になる。
【００２４】
本発明では、複数の側面部のうちの少なくとも一つにおいて、光源部２と通気部３とが軸線ａｘの方向に沿って交互に存在すれば、上記効果に類似した効果が得られる。
【００２５】
本実施の形態では、互いに隣り合う二つの側面部のうちの、一方の側面部の光源部２は、他方の側面部の光源部２に対して、軸線ａｘの方向の位置が異なる。これにより、軸線ａｘの方向に沿った配光をより良好にできる。
【００２６】
本実施の形態では、互いに隣り合う二つの側面部のうちの、一方の側面部の光源部２は、他方の側面部の通気部３に対して、軸線ａｘの方向の位置について重なりを有する。特に、本実施の形態では、互いに隣り合う二つの側面部のうちの、一方の側面部の光源部２は、他方の側面部の通気部３に対して、軸線ａｘの方向の位置が同じである。これらの構成によれば、以下の効果が得られる。軸線ａｘの方向に沿った配光をより良好にできる。各々の光源部２に隣接した通気部３があることで、フィン４への通気性がより良好になり、放熱性がより良好になり、光源部２の低温化に有利になる。
【００２７】
本実施の形態のランプ１Ａの六つの側面部のうち、三つの側面部の各々は、口金５に最も近い位置に光源部２を備え、残りの三つの側面部の各々は、口金５に最も近い位置に通気部３を備える。これらの三つの光源部２及び三つの通気部３、すなわち口金５に最も近い位置にある三つの光源部２及び三つの通気部３は、外側から見たときに軸線ａｘを中心とする周方向に沿って交互に隣り合う。これらの三つの光源部２及び三つの通気部３、すなわち口金５に最も近い位置にある三つの光源部２及び三つの通気部３を含む部位を、以下、「一段目の部位１３」と呼ぶ。フィン４は、少なくとも部分的に、一段目の部位１３の内側にある。
【００２８】
一段目の部位１３に対して軸線ａｘの方向に隣り合う二段目の部位１４も、三つの光源部２及び三つの通気部３を含み、これらが外側から見たときに軸線ａｘを中心とする周方向に沿って交互に隣り合う。二段目の部位１４は、一段目の部位１３に対して、口金５側と反対側に隣り合う。フィン４は、少なくとも部分的に、二段目の部位１４の内側にある。
【００２９】
二段目の部位１４に対して軸線ａｘの方向に隣り合う三段目の部位１５も、三つの光源部２及び三つの通気部３を含み、これらが外側から見たときに軸線ａｘを中心とする周方向に沿って交互に隣り合う。三段目の部位１５は、二段目の部位１４に対して、口金５側と反対側に隣り合う。フィン４は、少なくとも部分的に、三段目の部位１５の内側にある。
【００３０】
三段目の部位１５に対して軸線ａｘの方向に隣り合う四段目の部位１６も、三つの光源部２及び三つの通気部３を含み、これらが外側から見たときに軸線ａｘを中心とする周方向に沿って交互に隣り合う。四段目の部位１６は、三段目の部位１５に対して、口金５側と反対側に隣り合う。フィン４は、少なくとも部分的に、四段目の部位１６の内側にある。
【００３１】
本実施の形態であれば、各段の部位１３，１４，１５，１６において、光源部２及び通気部３が、外側から見たときに軸線ａｘを中心とする周方向に沿って交互に隣り合うことで、以下の効果が得られる。各々の光源部２に隣接した通気部３があることで、フィン４への通気性がより良好になり、放熱性がより良好になり、光源部２の低温化に有利になる。
【００３２】
本実施の形態では、二段目の部位１４の光源部２は、一段目の部位１３の光源部２に対して、軸線ａｘを中心とする周方向の位置が異なる。これにより、以下の効果が得られる。二段目の部位１４の光源部２は、一段目の部位１３の光源部２とは異なる方向に向けて光を放射する。一段目の部位１３の通気部３すなわち非光源部が向いている方向は、一段目の部位１３から放射される光の光度が低い方向になる。一段目の部位１３から放射される光の光度が低い領域の少なくとも一部に向けて、二段目の部位１４の光源部２からの光が放射される。このため、軸線ａｘの周囲への配光を良好にできる。例えば、軸線ａｘに対して全周囲配光が得られる。あるいは、全周囲配光に近い、均一性の高い配光が得られる。軸線ａｘの周囲に、影のような、光度の低い領域が生じにくくなる。
【００３３】
本実施の形態では、二段目の部位１４の光源部２は、軸線ａｘを中心とする周方向の位置に関して、軸線ａｘを中心として一段目の部位１３の光源部２を回転移動した位置にある。これにより、以下の効果が得られる。一段目の部位１３と、二段目の部位１４とを共通のモジュールを用いて構成できる。構造が簡単になる。コストを低減できる。
【００３４】
本実施の形態では、二段目の部位１４の光源部２は、一段目の部位１３の通気部３に対して、軸線ａｘを中心とする周方向の位置が同じである。二段目の部位１４の通気部３は、一段目の部位１３の光源部２に対して、軸線ａｘを中心とする周方向の位置が同じである。このような構成により、以下の効果が得られる。一段目の部位１３の通気部３すなわち非光源部が向いている方向は、一段目の部位１３から放射される光の光度が低い方向になる。当該方向に向けて、二段目の部位１４の光源部２からの光が放射される。また、二段目の部位１４の通気部３すなわち非光源部が向いている方向は、二段目の部位１４から放射される光の光度が低い方向になる。当該方向に向けて、一段目の部位１３の光源部２からの光が放射される。これらのことから、軸線ａｘの周囲への配光を良好にできる。例えば、軸線ａｘに対して全周囲配光が得られる。あるいは、全周囲配光に近い、均一性の高い配光が得られる。軸線ａｘの周囲に、影のような、光度の低い領域が生じにくくなる。さらに、各々の光源部２に対して周方向に通気部３が隣接するだけでなく、軸線ａｘの方向にも通気部３が隣接する。このため、フィン４への通気性がより良好になり、放熱性がより良好になり、光源部２の低温化に有利になる。
【００３５】
本実施の形態では、以下のようになっている。三段目の部位１５の光源部２は、軸線ａｘを中心とする周方向の位置に関して、軸線ａｘを中心として二段目の部位１４の光源部２を回転移動した位置にある。三段目の部位１５の光源部２は、二段目の部位１４の通気部３に対して、軸線ａｘを中心とする周方向の位置が同じである。三段目の部位１５の通気部３は、二段目の部位１４の光源部２に対して、軸線ａｘを中心とする周方向の位置が同じである。四段目の部位１６の光源部２は、軸線ａｘを中心とする周方向の位置に関して、軸線ａｘを中心として三段目の部位１５の光源部２を回転移動した位置にある。四段目の部位１６の光源部２は、三段目の部位１５の通気部３に対して、軸線ａｘを中心とする周方向の位置が同じである。四段目の部位１６の通気部３は、三段目の部位１５の光源部２に対して、軸線ａｘを中心とする周方向の位置が同じである。これらのことから、前述した効果に類似した効果が得られる。
【００３６】
本実施の形態のランプ１Ａは、三段目の部位１５及び四段目の部位１６を備えるが、本発明のランプは、三段目の部位１５及び四段目の部位１６を備えず、一段目の部位１３及び二段目の部位１４のみを備えるものでもよい。また、本発明のランプは、四段目の部位１６に隣り合う五段目の部位をさらに備えてもよいし、より多い段数の部位を備えてもよいことは言うまでもない。
【００３７】
本実施の形態のランプ１Ａは、給電線１７を備える。給電線１７は、各々の光源部２に接続されている。口金５に入力された電力が給電線１７を介して各々の光源部２に供給される。
【００３８】
図２は、実施の形態１のランプ１Ａを軸線ａｘの方向から見た図である。図２は、ランプ１Ａを口金５の反対側から見た図である。図２に示すように、本実施の形態のランプ１Ａは、中心軸に沿って延びる中空部１８を備える。中空部１８は、フィン４に囲まれた空間である。第二フレーム７は、内側に開口を有する。中空部１８は、第二フレーム７の開口を介して、口金５の反対側においてランプ１Ａの外部空間に連通する。このような構成により、本実施の形態では、以下の効果が得られる。口金５の反対側のランプ１Ａの端面から中空部１８へ空気が出入りできる。フィン４への通気性がより良好になり、放熱性がより良好になり、光源部２の低温化に有利になる。
【００３９】
図３は、実施の形態１のランプ１Ａが備える光源ユニットを示す斜視図である。図４は、実施の形態１のランプ１Ａが備える光源ユニットを軸線ａｘの方向から見た図である。図３及び図４は、３個の光源ユニットを示す。図３及び図４に示すような３個の同形の光源ユニットの組み合わせにより、本実施の形態のランプ１Ａの各段の部位１３，１４，１５，１６が形成される。本実施の形態のランプ１Ａは、合計で１２個の同形の光源ユニットを備える。
【００４０】
図３に示すように、各々の光源ユニットは、一つの光源部２と、複数のフィン４と、被支持部１９と、躯体２１とを備える。躯体２１は、光源部２を取り付ける取付面を有する。躯体２１は、板状でもよい。フィン４は、光源部２の裏面側から突出する。フィン４は、躯体２１の、光源部２が取り付けられた取付面と反対側の面から突出する。フィン４と躯体２１とが一体的に形成されていてもよい。
【００４１】
本実施の形態におけるフィン４の形状は、板状である。フィン４は、軸線ａｘに対して垂直になっている。このような構成に限らず、フィン４は、軸線ａｘに対して垂直になっていてもよいし、軸線ａｘに対して斜めになっていてもよい。一つの光源ユニットが備える複数のフィン４は、互いに平行になっている。一つの光源ユニットが備える複数のフィン４は、躯体２１の取付面に対して垂直になっている。フィン４は、板状でなくてもよい。フィン４は、ピン形のフィン、すなわちピンフィンでもよい。
【００４２】
光源部２は、光源素子２ａ及び透光性カバー２ｂを備える。透光性カバー２ｂは、光源素子２ａを覆う。透光性カバー２ｂは、少なくとも部分的に、透光性を有する。光源素子２ａから放射された光は、透光性カバー２ｂを透過して、外部へ放射される。透光性カバー２ｂは、光を拡散させる光拡散性を有してもよい。透光性カバー２ｂは、光線を制御するレンズのような機能を有してもよい。透光性カバー２ｂは、光源素子２ａへの水の侵入を防ぐ防水性を有してもよい。透光性カバー２ｂと躯体２１との接合部に、防水性を有するシール材（図示省略）が備えられてもよい。当該シール材は、例えば、軟性樹脂材料、シリコーン系などのシーリング材料、ゴム系材料などで構成されてもよい。透光性カバー２ｂは、無くてもよい。
【００４３】
本実施の形態における光源素子２ａは、発光ダイオード（ＬＥＤ）を備える。本実施の形態における光源素子２ａは、チップ・オン・ボード（ＣＯＢ）タイプのＬＥＤパッケージである。本実施の形態では、光源素子２ａは、ソケット２ｃを用いて躯体２１の取付面に固定されている。透光性カバー２ｂは、光源素子２ａ及びソケット２ｃを覆う。ソケット２ｃは、無くてもよい。ＣＯＢタイプのＬＥＤパッケージである光源素子２ａを、ソケット２ｃを用いずに躯体２１の取付面に直接取り付けてもよい。
【００４４】
光源素子２ａは、ＣＯＢタイプのＬＥＤパッケージでなくてもよく、他の各種のものを用いてよいことは言うまでもない。例えば、光源素子２ａは、表面実装型ＬＥＤパッケージでもよいし、砲弾型ＬＥＤパッケージでもよいし、配光レンズ付きＬＥＤパッケージでもよい。光源素子２ａは、ＬＥＤを備えるものに限らず、例えば、有機エレクトロルミネセンス（ＥＬ）素子、半導体レーザなどを備えるものでもよい。光源素子２ａが実装された基板（図示省略）が躯体２１の取付面に取り付けられてもよい。光源素子２ａが実装された基板（図示省略）と躯体２１とが一体的に形成されてもよい。
【００４５】
光源素子２ａと躯体２１の取付面との間、または光源素子２ａが実装された基板（図示省略）と躯体２１の取付面との間に、例えば熱伝導性グリス、熱伝導性シート、熱伝導性接着剤、熱伝導性両面粘着テープのような熱伝導性材料（図示省略）が備えられてもよい。
【００４６】
本実施の形態の光源部２は、光源素子２ａを１個のみ備える。このような構成に限らず、光源部２が複数の光源素子２ａを備えてもよい。光源部２は、例えば、光を反射させるリフレクター、レンズのような光学部品（図示省略）をさらに備えてもよい。
【００４７】
本実施の形態のランプ１Ａは、軸線ａｘに平行な６本の支柱２０を備える。これらの複数の支柱２０は、第一フレーム６と第二フレーム７との間を連結する。複数の支柱２０は、軸線ａｘを中心とする周方向に沿って間隔をあけて配置される。軸線ａｘの方向から見たとき、第一フレーム６及び第二フレーム７が呈する多角形すなわち正六角形が有する、複数すなわち６個の角部の各々に、支柱２０が位置する。便宜上、図４中に、６本の支柱２０の位置を示す。図示の構成では、支柱２０の断面形状が円形であるが、支柱２０の断面形状は円形以外の形状、例えば多角形でもよい。支柱２０は、中空部を有する部材、例えば管状部材でもよいし、中空部を有しない中実の部材でもよい。支柱２０の中空部の少なくとも一部に給電線１７が配設されてもよい。
【００４８】
図３及び図４に示す光源ユニットの各々は、支柱２０に支持される被支持部１９を二箇所に備える。この二箇所の被支持部１９は、６本の支柱２０のうちの隣接する２本の支柱２０に支持される。光源ユニットの各々は、被支持部１９が支柱２０に支持されることで、ランプ１Ａにおいて固定される。光源ユニットの各々は、６本の支柱２０のうちの隣接する２本の支柱２０に支持される。本実施の形態における被支持部１９は、支柱２０の外径に実質的に等しい内径を有する半円筒状の接触面を有する。本実施の形態では、被支持部１９は、躯体２１と一体的に形成されている。被支持部１９は、曲げ加工により形成されたものでもよい。被支持部１９は、このような構成に限定されない。被支持部１９は、支柱２０を通す孔を有してもよい。
【００４９】
本実施の形態であれば、同じ構造の光源ユニットを組み合わせる個数を変えることで、光束の大きさが異なる複数種類のランプを容易に製造できる。例えば、本実施の形態１のランプ１Ａにおいて軸線ａｘの方向に四段が連なる構造を、例えば五段以上に増やしたり、逆に三段に減らしたりすることで、光束の大きさが異なる複数種類のランプを容易に製造できる。その際、本実施の形態であれば、段数を一段ずつ変えることができる。さらに、本実施の形態であれば、軸線ａｘに平行な支柱２０に支持される被支持部１９を光源ユニットが備えたことで、段数の異なるランプを、共通の光源ユニットを用いて容易に製造できる。また、本実施の形態１のランプ１Ａにおいて六つの側面部を有する構造すなわち六角柱状の構造を、例えば八つの側面部を有する構造すなわち八角柱状の構造に変えたり、四つの側面部を有する構造すなわち四角柱状の構造に変えたりすることで、光束の大きさが異なる複数種類のランプを容易に製造できる。さらに、本実施の形態であれば、軸線ａｘに平行な支柱２０に支持される被支持部１９を光源ユニットが備えたことで、側面部の数が異なるランプを、共通の光源ユニットを用いて容易に製造できる。
【００５０】
以下の説明では、フィン４の根元から末端に向かう方向を、フィン４の高さ方向と定義する。フィン４の厚さ方向及び高さ方向の双方に対して垂直な方向を、フィン４の幅方向と定義する。図４に示すように、本実施の形態では、フィン４の形状は、高さ方向の末端へ向かって幅が連続的に大きくなる部分を有する形状である。これにより、フィン４の表面積をより大きくすることができ、放熱性がより良好になり、光源部２の低温化に有利になる。フィン４の形状が、少なくとも部分的に、高さ方向の末端へ向かって幅が連続的または階段状に大きくなる部分を有する場合には、上記効果に類似した効果が得られる。
【００５１】
図３に示すように、本実施の形態では、一つの光源部２に対して、軸線ａｘを中心とする周方向に隣り合う通気部３があり、当該通気部３は、当該光源部２の裏面側から突出したフィン４の間の空間に対向する。ランプ１Ａが備える複数の光源部２のうちの少なくとも一部の光源部２に関して上記の構成を満足することで、以下の効果が得られる。フィン４への通気性がより良好になり、放熱性がより良好になり、光源部２の低温化に有利になる。
【００５２】
本実施の形態のランプ１Ａは、軸線ａｘの方向へ向けて光を放射する光源を備えていない。このような構成に限定されるものではなく、本発明のランプは、軸線ａｘの方向へ向けて光を放射する光源を備えてもよい。本発明のランプは、口金５と反対側の端面に光源を備えてもよい。
【００５３】
実施の形態２．
次に、図５から図９を参照して、実施の形態２について説明するが、上述した実施の形態１との相違点を中心に説明し、同一部分または相当部分については説明を簡略化または省略する。
【００５４】
図５は、実施の形態２のランプ１Ｂの斜視図である。図６は、実施の形態２のランプ１Ｂを軸線ａｘの方向から見た図である。図６は、図５及び図６に示すように、本実施の形態のランプ１Ｂが備える板状のフィン４は、軸線ａｘに対して平行になっている。
【００５５】
図７は、実施の形態２のランプ１Ｂが備える光源ユニットを示す斜視図である。図８は、実施の形態２のランプ１Ｂが備える光源ユニットを軸線ａｘの方向から見た図である。図７及び図８は、６個の光源ユニットを示す。図７及び図８に示すような６個の同形の光源ユニットの組み合わせにより、本実施の形態２のランプ１Ｂの一段目の部位１３及び二段目の部位１４が形成される。図７及び図８に示すような６個の同形の光源ユニットの組み合わせにより、本実施の形態２のランプ１Ｂの三段目の部位１５及び四段目の部位１６が形成される。本実施の形態２のランプ１Ｂは、合計で１２個の同形の光源ユニットを備える。
【００５６】
図９は、実施の形態２のランプ１Ｂが備える光源ユニットを光源部２の裏面側から見た斜視図である。図９は、図７及び図８の６個の光源ユニットのうちの２個の光源ユニットを示す。図９は、軸線ａｘを中心とする周方向に隣り合う２個の光源ユニットを示す。図９に示すように、本実施の形態２の光源ユニットが備える複数のフィン４の各々は、光源部２の裏側に位置する第一部分４ａと、第一部分４ａに対して軸線ａｘの方向へ突出する第二部分４ｂとを備える。第一部分４ａは、躯体２１の取付面の裏側に位置する。第二部分４ｂは、躯体２１の取付面の法線の方向から見たとき、躯体２１の外側へ張り出す。第二部分４ｂの表面積は、第一部分４ａの表面積より大きい。第一部分４ａと第二部分４ｂとの間に段差がある。図９の２個の光源ユニットのうちの一方の光源ユニットは、同図中で第一部分４ａが第二部分４ｂに対して上になる姿勢になっている。図９の２個の光源ユニットのうちの他方の光源ユニットは、同図中で第一部分４ａが第二部分４ｂに対して下になる姿勢になっている。図９の２個の光源ユニットのうちの一方の光源ユニットは、他方の光源ユニットに対して逆さまの姿勢になっている。
【００５７】
図７に示すように、本実施の形態２では、一つの光源部２に対して、軸線ａｘの方向に隣り合う通気部３があり、当該通気部３は、当該光源部２の裏面側から突出したフィン４の第二部分４ｂの間の空間に対向する。ランプ１Ａが備える複数の光源部２のうちの少なくとも一部の光源部２に関して上記の構成を満足することで、以下の効果が得られる。フィン４への通気性がより良好になり、放熱性がより良好になり、光源部２の低温化に有利になる。
【００５８】
図８に示すように、本実施の形態２では、軸線ａｘの方向から見たときに、軸線ａｘを中心とする周方向に隣り合う２個の光源ユニットのうち、一方の光源ユニットが備えるフィン４と、他方の光源ユニットが備えるフィン４とが重なる部分がある。これにより、以下の効果が得られる。空間を効率良く利用してフィン４を配置できる。フィン４の表面積を大きくできる。放熱性がより良好になり、光源部２の低温化に有利になる。
【００５９】
実施の形態３．
次に、図１０から図１４を参照して、実施の形態３について説明するが、上述した実施の形態１との相違点を中心に説明し、同一部分または相当部分については説明を簡略化または省略する。
【００６０】
図１０は、実施の形態３のランプ１Ｃの斜視図である。図１１は、実施の形態３のランプ１Ｃを軸線ａｘの方向から見た図である。これらの図に示すように、本実施の形態３のランプ１Ｃは、ランプ１Ｃの軸線ａｘを囲む六つの側面部を備える。図１０に示すように、各々の側面部は、光源部２と、複数のフィン２３とを備える。以下の説明では、次のようにする。フィン２３の一つずつを指すときには、「個々のフィン２３」と呼ぶ。空間的にまとまって配置された複数のフィン２３の一団を指すときには、「一組のフィン２３」として扱うか、または単に「フィン２３」と呼ぶ。フィン２３は、非光源部の例である。
【００６１】
フィン２３は、光源部２で発生した熱を放熱させる。フィン２３を備えたことで、表面積を大きくできるので、放熱を促進できる。フィン２３は、側面部の外側に面する。フィン２３は、光源部２の表側と同じ側を向く。フィン２３は、ランプ１Ｃの外部空間に面する。個々のフィン２３は、ランプ１Ｃの外側へ向かって突出する。
【００６２】
本実施の形態であれば、ランプ１Ｃの側面部の各々がフィン２３を備えたことで、以下の効果が得られる。フィン２３は、ランプ１Ｃの外部空間に面しているので、通気性を良好にできる。フィン２３の放熱効率を高くできる。光源部２の温度を低くできる。光源部２の発光効率を高くできる。光源部２の寿命を長くできる。ヒートシンクの重量を大きくしなくても光源部２の放熱性を良好にできるので、ランプ１Ｃの軽量化が図れる。側面部の各々がフィン２３を備えるので、側面部と側面部との間を空気が流れる必要はない。このため、隣り合う二つの側面部のうちの一方の側面部の光源部２と、他方の側面部の光源部２との間で、軸線ａｘを中心とする周方向の距離を小さくできる。それゆえ、軸線ａｘの周囲に、影のような、光度の低い領域が生じにくくなる。
【００６３】
本実施の形態では、個々のフィン２３は、ピン形のフィン、すなわちピンフィンである。このような構成に限らず、個々のフィン２３は、板状のフィンでもよい。
【００６４】
ランプ１Ｃの各々の側面部は、光源部２に対して軸線ａｘの方向の両側に非光源部すなわちフィン２３が隣り合う第一の並び１１と、非光源部すなわちフィン２３に対して軸線ａｘの方向の両側に光源部２が隣り合う第二の並び１２と、の双方を備える。
【００６５】
第一の並び１１を備えることで、以下の効果が得られる。各々の光源部２に両側に隣接したフィン２３があることで、光源部２からフィン２３への熱伝導がより良好になり、放熱性がより良好になり、光源部２の低温化に有利になる。
【００６６】
第二の並び１２を備えることで、以下の効果が得られる。各々の光源部２に隣接したフィン２３があることで、光源部２からフィン２３への熱伝導がより良好になり、放熱性がより良好になり、光源部２の低温化に有利になる。
【００６７】
本発明では、各々の側面部が第一の並び１１と第二の並び１２とのいずれか一方のみを備えるようにしてもよい。その場合でも、本実施の形態の効果に類似した効果が得られる。
【００６８】
本実施の形態では、ランプ１Ｃの各々の側面部において、二つの光源部２と、二組のフィン２３とが、軸線ａｘの方向に沿って、交互に並ぶ。ランプ１Ｃの各々の側面部において、光源部２とフィン２３とが軸線ａｘの方向に沿って交互に並ぶことで、以下の効果が得られる。軸線ａｘの方向に沿った配光をより良好にできる。光源部２からフィン２３への熱伝導がより良好になり、放熱性がより良好になり、光源部２の低温化に有利になる。
【００６９】
本発明では、複数の側面部のうちの少なくとも一つにおいて、光源部２とフィン２３とが軸線ａｘの方向に沿って交互に存在すれば、上記効果に類似した効果が得られる。
【００７０】
本実施の形態では、互いに隣り合う二つの側面部のうちの、一方の側面部の光源部２は、他方の側面部のフィン２３に対して、軸線ａｘの方向の位置について重なりを有する。特に、本実施の形態では、互いに隣り合う二つの側面部のうちの、一方の側面部の光源部２は、他方の側面部のフィン２３に対して、軸線ａｘの方向の位置が同じである。これらの構成によれば、以下の効果が得られる。軸線ａｘの方向に沿った配光をより良好にできる。各々の光源部２に隣接したフィン２３があることで、光源部２からフィン２３への熱伝導がより良好になり、放熱性がより良好になり、光源部２の低温化に有利になる。
【００７１】
本実施の形態のランプ１Ｃの六つの側面部のうち、三つの側面部の各々は、口金５に最も近い位置に光源部２を備え、残りの三つの側面部の各々は、口金５に最も近い位置にフィン２３を備える。これらの三つの光源部２及び三組のフィン２３、すなわち口金５に最も近い位置にある三つの光源部２及び三組のフィン２３は、外側から見たときに軸線ａｘを中心とする周方向に沿って交互に隣り合う。これらの三つの光源部２及び三組のフィン２３、すなわち口金５に最も近い位置にある三つの光源部２及び三組のフィン２３を含む部位を、以下、「一段目の部位１３」と呼ぶ。
【００７２】
一段目の部位１３に対して軸線ａｘの方向に隣り合う二段目の部位１４も、三つの光源部２及び三組のフィン２３を含み、これらが外側から見たときに軸線ａｘを中心とする周方向に沿って交互に隣り合う。二段目の部位１４に対して軸線ａｘの方向に隣り合う三段目の部位１５も、三つの光源部２及び三組のフィン２３を含み、これらが外側から見たときに軸線ａｘを中心とする周方向に沿って交互に隣り合う。三段目の部位１５に対して軸線ａｘの方向に隣り合う四段目の部位１６も、三つの光源部２及び三組のフィン２３を含み、これらが外側から見たときに軸線ａｘを中心とする周方向に沿って交互に隣り合う。
【００７３】
本実施の形態であれば、各段の部位１３，１４，１５，１６において、光源部２及びフィン２３が、外側から見たときに軸線ａｘを中心とする周方向に沿って交互に隣り合うことで、以下の効果が得られる。各々の光源部２に隣接したフィン２３があることで、光源部２からフィン２３への熱伝導がより良好になり、放熱性がより良好になり、光源部２の低温化に有利になる。
【００７４】
本実施の形態では、二段目の部位１４の光源部２は、一段目の部位１３の光源部２に対して、軸線ａｘを中心とする周方向の位置が異なる。これにより、以下の効果が得られる。二段目の部位１４の光源部２は、一段目の部位１３の光源部２とは異なる方向に向けて光を放射する。一段目の部位１３のフィン２３すなわち非光源部が向いている方向は、一段目の部位１３から放射される光の光度が低い方向になる。一段目の部位１３から放射される光の光度が低い領域の少なくとも一部に向けて、二段目の部位１４の光源部２からの光が放射される。このため、軸線ａｘの周囲への配光を良好にできる。例えば、軸線ａｘに対して全周囲配光が得られる。あるいは、全周囲配光に近い、均一性の高い配光が得られる。軸線ａｘの周囲に、影のような、光度の低い領域が生じにくくなる。
【００７５】
本実施の形態では、二段目の部位１４の光源部２は、軸線ａｘを中心とする周方向の位置に関して、軸線ａｘを中心として一段目の部位１３の光源部２を回転移動した位置にある。これにより、以下の効果が得られる。一段目の部位１３と、二段目の部位１４とを共通のモジュールを用いて構成できる。構造が簡単になる。コストを低減できる。
【００７６】
本実施の形態では、二段目の部位１４の光源部２は、一段目の部位１３のフィン２３に対して、軸線ａｘを中心とする周方向の位置が同じである。二段目の部位１４のフィン２３は、一段目の部位１３の光源部２に対して、軸線ａｘを中心とする周方向の位置が同じである。このような構成により、以下の効果が得られる。一段目の部位１３のフィン２３すなわち非光源部が向いている方向は、一段目の部位１３から放射される光の光度が低い方向になる。当該方向に向けて、二段目の部位１４の光源部２からの光が放射される。また、二段目の部位１４のフィン２３すなわち非光源部が向いている方向は、二段目の部位１４から放射される光の光度が低い方向になる。当該方向に向けて、一段目の部位１３の光源部２からの光が放射される。これらのことから、軸線ａｘの周囲への配光を良好にできる。例えば、軸線ａｘに対して全周囲配光が得られる。あるいは、全周囲配光に近い、均一性の高い配光が得られる。軸線ａｘの周囲に、影のような、光度の低い領域が生じにくくなる。さらに、各々の光源部２に対して周方向にフィン２３が隣接するだけでなく、軸線ａｘの方向にもフィン２３が隣接する。このため、光源部２からフィン２３への熱伝導がより良好になり、放熱性がより良好になり、光源部２の低温化に有利になる。
【００７７】
図１２は、実施の形態３のランプ１Ｃが備える光源ユニットを示す斜視図である。図１３は、実施の形態３のランプ１Ｃが備える光源ユニットを軸線ａｘの方向から見た図である。図１２及び図１３は、３個の光源ユニットを示す。図１２及び図１３に示すような３個の同形の光源ユニットの組み合わせにより、本実施の形態のランプ１Ｃの各段の部位１３，１４，１５，１６が形成される。本実施の形態のランプ１Ｃは、合計で１２個の同形の光源ユニットを備える。
【００７８】
図１２に示すように、各々の光源ユニットは、一つの光源部２と、一組のフィン２３と、支柱２０に支持される被支持部２４と、躯体２５とを備える。躯体２５は、第一表面２５ａ及び第二表面２５ｂを有する。第一表面２５ａは、光源部２を取り付ける取付面である。フィン２３の根元は、第二表面２５ｂにつながる。フィン２３は、躯体２５と一体的に形成されていてもよい。
【００７９】
図１３に示すように、軸線ａｘの方向から見たとき、躯体２５の第一表面２５ａ及び第二表面２５ｂは、Ｖ字状になる。被支持部２４は、支柱２０を通す孔を有する。光源ユニットの各々は、被支持部２４を二箇所に備える。被支持部２４は、躯体２５と一体的に形成されている。光源ユニットの各々は、躯体２５の第一表面２５ａの両端の近くにそれぞれ被支持部２４を備える。
【００８０】
本実施の形態では、一つの光源部２に対して、軸線ａｘを中心とする周方向に隣り合うフィン２３と、軸線ａｘの方向に隣り合うフィン２３とがある。ランプ１Ｃが備える複数の光源部２のうちの少なくとも一部の光源部２に関して上記の構成を満足することで、以下の効果が得られる。光源部２からフィン２３への熱伝導がより良好になり、放熱性がより良好になり、光源部２の低温化に有利になる。
【００８１】
本実施の形態であれば、上述したような光源ユニットを用いたことで、以下の効果が得られる。ランプ１Ｃにおいて軸線ａｘの方向に四段が連なる構造を、例えば五段以上に増やしたり、逆に三段に減らしたりすることで、光束の大きさが異なる複数種類のランプを容易に製造できる。その際、本実施の形態であれば、段数を一段ずつ変えることができる。
【００８２】
図１４は、実施の形態３の変形例の光源ユニットを示す斜視図である。図１４は、１個の光源ユニットを示す。図１４の光源ユニットは、図１２及び図１３の３個の光源ユニットを一体化したものに相当する。図１２及び図１３の３個の光源ユニットに代えて、図１４の光源ユニットにより、実施の形態３のランプ１Ｃの各段の部位１３，１４，１５，１６を形成してもよい。すなわち、図１４の光源ユニットを４個用いることで、実施の形態３のランプ１Ｃと同様のランプを製造できる。
【００８３】
図１４に示す光源ユニットは、三つの光源部２と、三組のフィン２３と、支柱２０に支持される被支持部２４と、躯体２６とを備える。躯体２６の形状は、軸線ａｘの方向から見て、六角形の環状である。躯体２６は、六つの側面を有する。躯体２６の六つの側面に、三つの光源部２と、三組のフィン２３とが、軸線ａｘを中心とする周方向に沿って交互に存在する。フィン２３は、躯体２６と一体的に形成されていてもよい。躯体２６が有する六つの角部の近くにそれぞれ被支持部２４がある。被支持部２４は、躯体２６と一体的に形成されている。
【００８４】
図１４に示す光源ユニットを用いた場合でも、上述した本実施の形態３の効果と類似の効果が得られる。図１４に示す光源ユニットを用いた場合には、部品点数がより少なくなり、組み立て工程がより簡単になる。
【００８５】
実施の形態４．
次に、図１５から図１９を参照して、実施の形態４について説明するが、上述した実施の形態３との相違点を中心に説明し、同一部分または相当部分については説明を簡略化または省略する。
【００８６】
図１５は、実施の形態４のランプ１Ｄの斜視図である。図１６は、実施の形態４のランプ１Ｄを軸線ａｘの方向から見た図である。これらの図に示す本実施の形態４のランプ１Ｄは、実施の形態３のランプ１Ｃと比べて、光源ユニットの構成が異なる。
【００８７】
図１７は、実施の形態４のランプ１Ｄが備える光源ユニットを示す斜視図である。図１８は、実施の形態４のランプ１Ｄが備える光源ユニットを軸線ａｘの方向から見た図である。図１７及び図１８は、６個の光源ユニットを示す。図１７及び図１８に示すような６個の同形の光源ユニットの組み合わせにより、本実施の形態４のランプ１Ｄの一段目の部位１３及び二段目の部位１４が形成される。図１７及び図１８に示すような６個の同形の光源ユニットの組み合わせにより、本実施の形態４のランプ１Ｄの三段目の部位１５及び四段目の部位１６が形成される。本実施の形態４のランプ１Ｄは、合計で１２個の同形の光源ユニットを備える。
【００８８】
図１９は、実施の形態４のランプ１Ｄが備える光源ユニットを示す斜視図である。図１９は、図１７及び図１８の６個の光源ユニットのうちの２個の光源ユニットを示す。図１９は、軸線ａｘを中心とする周方向に隣り合う２個の光源ユニットを示す。
【００８９】
図１７及び図１９に示すように、各々の光源ユニットは、一つの光源部２と、一組のフィン２３と、支柱２０に支持される被支持部２４と、躯体２７とを備える。躯体２７は、少なくとも部分的に、板状である。躯体２７は、第一部位２７ａ及び第二部位２７ｂを備える。第二部位２７ｂは、第一部位２７ａに対して、軸線ａｘの方向に隣り合う。第一部位２７ａの表側の面は、光源部２を取り付ける取付面になる。フィン２３の根元は、第二部位２７ｂの表側の面につながる。フィン２３は、躯体２７と一体的に形成されていてもよい。第二部位２７ｂは、第一部位２７ａに比べて、軸線ａｘに垂直な方向の幅が狭い。第一部位２７ａと第二部位２７ｂとの間には、段差がある。被支持部２４は、支柱２０を通す孔を有する。光源ユニットの各々は、被支持部２４を二箇所に備える。被支持部２４は、躯体２７と一体的に形成されている。光源ユニットの各々は、躯体２７の第一部位２７ａの両端の近くにそれぞれ被支持部２４を備える。
【００９０】
図１９の２個の光源ユニットのうちの一方の光源ユニットは、同図中で光源部２及び第一部位２７ａがフィン２３及び第二部位２７ｂに対して上になる姿勢になっている。図１９の２個の光源ユニットのうちの他方の光源ユニットは、同図中で光源部２及び第一部位２７ａがフィン２３及び第二部位２７ｂに対して下になる姿勢になっている。図１９の２個の光源ユニットのうちの一方の光源ユニットは、他方の光源ユニットに対して逆さまの姿勢になっている。
【００９１】
本実施の形態４であれば、上述したような光源ユニットを用いたことで、以下の効果が得られる。ランプ１Ｄにおいて軸線ａｘの方向に四段が連なる構造を、例えば六段以上に増やしたり、逆に二段に減らしたりすることで、光束の大きさが異なる複数種類のランプを容易に製造できる。その際、本実施の形態であれば、段数を二段ずつ変えることができる。また、本実施の形態４のランプ１Ｄにおいて六つの側面部を有する構造すなわち六角柱状の構造を、例えば八つの側面部を有する構造すなわち八角柱状の構造に変えたり、四つの側面部を有する構造すなわち四角柱状の構造に変えたりすることで、光束の大きさが異なる複数種類のランプを容易に製造できる。
【００９２】
実施の形態５．
次に、図２０及び図２１を参照して、実施の形態５について説明するが、上述した実施の形態３との相違点を中心に説明し、同一部分または相当部分については説明を簡略化または省略する。
【００９３】
図２０は、実施の形態５のランプ１Ｅの斜視図である。図２０に示す本実施の形態５のランプ１Ｅは、ランプ１Ｅの軸線ａｘを囲む六つの側面部を備える。各々の側面部は、一つの光源部２と、二組のフィン２３とを備える。フィン２３は、側面部の外側に面する。フィン２３は、光源部２の表側と同じ側を向く。フィン２３は、ランプ１Ｅの外部空間に面する。個々のフィン２３は、ランプ１Ｅの外側へ向かって突出する。
【００９４】
本実施の形態であれば、ランプ１Ｅの側面部の各々がフィン２３を備えたことで、以下の効果が得られる。フィン２３は、ランプ１Ｅの外部空間に面しているので、通気性を良好にできる。フィン２３の放熱効率を高くできる。光源部２の温度を低くできる。光源部２の発光効率を高くできる。光源部２の寿命を長くできる。ヒートシンクの重量を大きくしなくても光源部２の放熱性を良好にできるので、ランプ１Ｅの軽量化が図れる。側面部の各々がフィン２３を備えるので、側面部と側面部との間を空気が流れる必要はない。このため、隣り合う二つの側面部のうちの一方の側面部の光源部２と、他方の側面部の光源部２との間で、軸線ａｘを中心とする周方向の距離を小さくできる。それゆえ、軸線ａｘの周囲に、影のような、光度の低い領域が生じにくくなる。
【００９５】
ランプ１Ｅの各々の側面部は、光源部２に対して軸線ａｘの方向の両側に非光源部すなわちフィン２３が隣り合う第一の並び２８を備える。第一の並び２８を備えることで、以下の効果が得られる。各々の光源部２の両側に隣接したフィン２３があることで、光源部２からフィン２３への熱伝導がより良好になり、放熱性がより良好になり、光源部２の低温化に有利になる。
【００９６】
本実施の形態５では、各々の光源部２の表側から見たとき、当該光源部２の軸線ａｘの方向の長さは、それに対して垂直な方向の長さより長い。各々の光源部２の形状は、表側から見たとき、長方形を呈する。
【００９７】
図２１は、実施の形態５のランプ１Ｅが備える光源ユニットを示す斜視図である。図２１は、一つの光源ユニットを示す。実施の形態５のランプ１Ｅの六つの側面部の各々は、図２１の光源ユニットにより形成される。本実施の形態のランプ１Ｅは、合計で６個の同形の光源ユニットを備える。
【００９８】
各々の光源ユニットは、一つの光源部２と、二組のフィン２３と、支柱２０に支持される被支持部２４と、躯体２９とを備える。躯体２９は、少なくとも部分的に、板状である。躯体２９は、第一部位２９ａ、第二部位２９ｂ及び第三部位２９ｃを備える。第二部位２９ｂ及び第三部位２９ｃは、第一部位２９ａに対して、軸線ａｘの方向の両側に隣り合う。第一部位２９ａは、第二部位２９ｂ及び第三部位２９ｃの間に挟まれる。第一部位２９ａの表側の面は、光源部２を取り付ける取付面になる。フィン２３の根元は、第二部位２９ｂ及び第三部位２９ｃの表側の面につながる。フィン２３は、躯体２９と一体的に形成されていてもよい。
【００９９】
被支持部２４は、支柱２０を通す孔を有する。光源ユニットの各々は、被支持部２４を二箇所に備える。そのうちの一方の被支持部２４は、躯体２９の第二部位２９ｂと一体的に形成されている。他方の被支持部２４は、躯体２９の第三部位２９ｃと一体的に形成されている。一方の被支持部２４は、躯体２９の二つの長辺のうちの一方の長辺の近くにある。他方の被支持部２４は、躯体２９の二つの長辺のうちの他方の長辺の近くにある。
【０１００】
第二部位２９ｂは、軸線ａｘに垂直な方向、かつ被支持部２４に向かう方向に突出する突出部を備える。当該突出部により、第二部位２９ｂと第一部位２９ａとの間に段差が形成される。第三部位２９ｃは、軸線ａｘに垂直な方向、かつ被支持部２４に向かう方向に突出する突出部を備える。当該突出部により、第三部位２９ｃと第一部位２９ａとの間に段差が形成される。
【０１０１】
本実施の形態５であれば、上述したような光源ユニットを用いたことで、以下の効果が得られる。ランプ１Ｅにおいて六つの側面部を有する構造すなわち六角柱状の構造を、例えば八つの側面部を有する構造すなわち八角柱状の構造に変えたり、四つの側面部を有する構造すなわち四角柱状の構造に変えたりすることで、光束の大きさが異なる複数種類のランプを容易に製造できる。
【０１０２】
実施の形態１から実施の形態５では、ランプが備えるすべての非光源部が、通気部３とフィン２３とのいずれか一方に統一されている例を説明した。本発明は、これらの例に限定されない。本発明では、ランプが備える複数の非光源部のうちの一部の非光源部が、内側にあるフィンに通気する通気部を備え、他の非光源部が、外側にあるフィンを備えてもよい。また、本発明では、一つの非光源部が、内側にあるフィンに通気する通気部と、外側にあるフィンとの双方を備えてもよい。すなわち、非光源部は、内側にあるフィンに通気する通気部と、外側にあるフィンとのいずれか一方または両方を備えればよい。
【０１０３】
実施の形態６．
次に、図２２を参照して、実施の形態６について説明するが、上述した実施の形態との相違点を中心に説明し、同一部分または相当部分については説明を簡略化または省略する。
【０１０４】
図２２は、実施の形態６のランプ１Ｆを模式的に示す図である。図２２中、左側はランプ１Ｆの側面図であり、右側はランプ１Ｆの斜視図である。図２２に示すように、ランプ１Ｆは、ランプ１Ｆの軸線ａｘを囲む六つの側面部を備える。各々の側面部は、光源部２と、非光源部３０とを備える。上述したように、非光源部３０は、内側にあるフィンに通気する通気部と、外側にあるフィンとのいずれか一方または両方を備えればよい。図２２では、図面を簡単にするための便宜上、光源部２を○（丸）の印を付けた領域で表し、非光源部３０を×（バツ）の印を付けた領域で表す。
【０１０５】
ランプ１Ｆの各々の側面部は、光源部２に対して軸線ａｘの方向の両側に非光源部３０が隣り合う第一の並び１１と、非光源部３０に対して軸線ａｘの方向の両側に光源部２が隣り合う第二の並び１２と、の双方を備える。
【０１０６】
本実施の形態では、ランプ１Ｆの各々の側面部は、二つの光源部２と、二つの非光源部３０とを含む。本実施の形態では、ランプ１Ｆの各々の側面部において、二つの光源部２と、二つの非光源部３０とが、軸線ａｘの方向に沿って、交互に並ぶ。
【０１０７】
本実施の形態では、互いに隣り合う二つの側面部のうちの、一方の側面部の光源部２は、他方の側面部の光源部２に対して、軸線ａｘの方向の位置が異なる。これにより、軸線ａｘの方向に沿った配光をより良好にできる。
【０１０８】
本実施の形態では、互いに隣り合う二つの側面部のうちの、一方の側面部の光源部２は、他方の側面部の非光源部３０に対して、軸線ａｘの方向の位置について重なりを有する。特に、本実施の形態では、互いに隣り合う二つの側面部のうちの、一方の側面部の光源部２は、他方の側面部の非光源部３０に対して、軸線ａｘの方向の位置が同じである。
【０１０９】
本実施の形態のランプ１Ｆの六つの側面部のうち、三つの側面部の各々は、口金５に最も近い位置に光源部２を備え、残りの三つの側面部の各々は、口金５に最も近い位置に非光源部３０を備える。これらの三つの光源部２及び三つの非光源部３０、すなわち口金５に最も近い位置にある三つの光源部２及び三つの非光源部３０は、外側から見たときに軸線ａｘを中心とする周方向に沿って交互に隣り合う。これらの三つの光源部２及び三つの非光源部３０、すなわち口金５に最も近い位置にある三つの光源部２及び三つの非光源部３０を含む部位を、以下、「一段目の部位１３」と呼ぶ。
【０１１０】
一段目の部位１３に対して軸線ａｘの方向に隣り合う二段目の部位１４も、三つの光源部２及び三つの非光源部３０を含み、これらが外側から見たときに軸線ａｘを中心とする周方向に沿って交互に隣り合う。二段目の部位１４は、一段目の部位１３に対して、口金５側と反対側に隣り合う。
【０１１１】
二段目の部位１４に対して軸線ａｘの方向に隣り合う三段目の部位１５も、三つの光源部２及び三つの非光源部３０を含み、これらが外側から見たときに軸線ａｘを中心とする周方向に沿って交互に隣り合う。三段目の部位１５は、二段目の部位１４に対して、口金５側と反対側に隣り合う。
【０１１２】
三段目の部位１５に対して軸線ａｘの方向に隣り合う四段目の部位１６も、三つの光源部２及び三つの非光源部３０を含み、これらが外側から見たときに軸線ａｘを中心とする周方向に沿って交互に隣り合う。四段目の部位１６は、三段目の部位１５に対して、口金５側と反対側に隣り合う。
【０１１３】
本実施の形態では、二段目の部位１４の光源部２は、一段目の部位１３の光源部２に対して、軸線ａｘを中心とする周方向の位置が異なる。本実施の形態では、二段目の部位１４の光源部２は、軸線ａｘを中心とする周方向の位置に関して、軸線ａｘを中心として一段目の部位１３の光源部２を回転移動した位置にある。
【０１１４】
本実施の形態では、二段目の部位１４の光源部２は、一段目の部位１３の非光源部３０に対して、軸線ａｘを中心とする周方向の位置が同じである。二段目の部位１４の非光源部３０は、一段目の部位１３の光源部２に対して、軸線ａｘを中心とする周方向の位置が同じである。
【０１１５】
本実施の形態では、以下のようになっている。三段目の部位１５の光源部２は、軸線ａｘを中心とする周方向の位置に関して、軸線ａｘを中心として二段目の部位１４の光源部２を回転移動した位置にある。三段目の部位１５の光源部２は、二段目の部位１４の非光源部３０に対して、軸線ａｘを中心とする周方向の位置が同じである。三段目の部位１５の非光源部３０は、二段目の部位１４の光源部２に対して、軸線ａｘを中心とする周方向の位置が同じである。四段目の部位１６の光源部２は、軸線ａｘを中心とする周方向の位置に関して、軸線ａｘを中心として三段目の部位１５の光源部２を回転移動した位置にある。四段目の部位１６の光源部２は、三段目の部位１５の非光源部３０に対して、軸線ａｘを中心とする周方向の位置が同じである。四段目の部位１６の非光源部３０は、三段目の部位１５の光源部２に対して、軸線ａｘを中心とする周方向の位置が同じである。
【０１１６】
上述したように、本実施の形態６のランプ１Ｆは、光源部２及び非光源部３０の並び方に関しては、前述した実施の形態１から実施の形態４に類似する。本実施の形態６によれば、実施の形態１から実施の形態４の効果に類似した効果が得られる。以下に説明する各実施の形態の図面では、図２２と同じようにして、模式的に表す。
【０１１７】
実施の形態７．
次に、図２３を参照して、実施の形態７について説明するが、上述した実施の形態との相違点を中心に説明し、同一部分または相当部分については説明を簡略化または省略する。
【０１１８】
図２３は、実施の形態７のランプ１Ｇを模式的に示す図である。図２３中、左側はランプ１Ｇの側面図であり、右側はランプ１Ｇの斜視図である。以下に説明する本実施の形態７によれば、前述した実施の形態の効果に類似した効果が得られる。
【０１１９】
ランプ１Ｇの各々の側面部は、光源部２に対して軸線ａｘの方向の両側に非光源部３０が隣り合う第一の並び１１と、非光源部３０に対して軸線ａｘの方向の両側に光源部２が隣り合う第二の並び１２と、の双方を備える。
【０１２０】
本実施の形態では、ランプ１Ｇの各々の側面部は、二つの光源部２と、二つの非光源部３０とを含む。本実施の形態では、ランプ１Ｇの各々の側面部において、二つの光源部２と、二つの非光源部３０とが、軸線ａｘの方向に沿って、交互に並ぶ。
【０１２１】
本実施の形態では、互いに隣り合う二つの側面部のうちの、一方の側面部の光源部２は、他方の側面部の光源部２に対して、軸線ａｘの方向の位置が同じである。
【０１２２】
本実施の形態では、互いに隣り合う二つの側面部のうちの、一方の側面部の光源部２は、他方の側面部の非光源部３０に対して、軸線ａｘの方向の位置について重なりを持たない。
【０１２３】
本実施の形態のランプ１Ｇの六つの側面部の各々は、口金５に最も近い位置に非光源部３０を備える。これらの六つの非光源部３０、すなわち口金５に最も近い位置にある六つの非光源部３０を含む部位を、以下、「一段目の部位３１」と呼ぶ。一段目の部位３１は、光源部２を含まない。
【０１２４】
一段目の部位３１に対して軸線ａｘの方向に隣り合う二段目の部位３２は、六つの光源部２を含む。二段目の部位３２は、非光源部３０を含まない。二段目の部位３２は、一段目の部位３１に対して、口金５側と反対側に隣り合う。
【０１２５】
二段目の部位３２に対して軸線ａｘの方向に隣り合う三段目の部位３３は、六つの非光源部３０を含む。三段目の部位３３は、光源部２を含まない。三段目の部位３３は、二段目の部位３２に対して、口金５側と反対側に隣り合う。
【０１２６】
三段目の部位３３に対して軸線ａｘの方向に隣り合う四段目の部位３４は、六つの光源部２を含む。四段目の部位３４は、非光源部３０を含まない。四段目の部位３４は、三段目の部位３３に対して、口金５側と反対側に隣り合う。
【０１２７】
実施の形態８．
次に、図２４を参照して、実施の形態８について説明するが、上述した実施の形態との相違点を中心に説明し、同一部分または相当部分については説明を簡略化または省略する。
【０１２８】
図２４は、実施の形態８のランプ１Ｈを模式的に示す図である。図２４中、左側はランプ１Ｈの側面図であり、右側はランプ１Ｈの斜視図である。以下に説明する本実施の形態８によれば、前述した実施の形態の効果に類似した効果が得られる。
【０１２９】
本実施の形態のランプ１Ｈは、一段目の部位３５及び二段目の部位３６を備える。一段目の部位３５は、三つの光源部２及び三つの非光源部３０を含む。一段目の部位３５が含む三つの光源部２及び三つの非光源部３０は、外側から見たときに軸線ａｘを中心とする周方向に沿って交互に隣り合う。一段目の部位３５が含む光源部２及び非光源部３０の数は、上記の数に限定されないことは言うまでもない。一段目の部位３５は、二つまたはそれ以上の光源部２と、二つまたはそれ以上の非光源部３０とを含むものであればよい。
【０１３０】
二段目の部位３６は、一段目の部位３５に対して軸線ａｘの方向に隣り合う。二段目の部位３６は、一段目の部位３５に対して、口金５側と反対側に隣り合う。二段目の部位３６は、三つの光源部２及び三つの非光源部３０を含む。二段目の部位３６が含む三つの光源部２及び三つの非光源部３０は、外側から見たときに軸線ａｘを中心とする周方向に沿って交互に隣り合う。二段目の部位３６が含む光源部２及び非光源部３０の数は、上記の数に限定されないことは言うまでもない。二段目の部位３６は、二つまたはそれ以上の光源部２と、二つまたはそれ以上の非光源部３０とを含むものであればよい。
【０１３１】
二段目の部位３６の光源部２は、一段目の部位３５の光源部２に対して、軸線ａｘを中心とする周方向の位置が異なる。二段目の部位３６の光源部２は、軸線ａｘを中心とする周方向の位置に関して、軸線ａｘを中心として一段目の部位３５の光源部２を回転移動した位置にある。二段目の部位３６の光源部２は、軸線ａｘを中心とする周方向の位置に関して、軸線ａｘを中心として一段目の部位３５の光源部２を３０°回転移動した位置にある。
【０１３２】
一段目の部位３５が含む光源部２及び非光源部３０の数の合計をＮとする。二段目の部位３６の光源部２は、軸線ａｘを中心とする周方向の位置に関して、軸線ａｘを中心として一段目の部位３５の光源部２を、１８０°／Ｎの角度だけ、回転移動した位置にあってもよい。二段目の部位３６が含む光源部２及び非光源部３０の数の合計をＭとする。二段目の部位３６の光源部２は、軸線ａｘを中心とする周方向の位置に関して、軸線ａｘを中心として一段目の部位３５の光源部２を、１８０°／Ｍの角度だけ、回転移動した位置にあってもよい。
【０１３３】
本実施の形態のランプ１Ｈは、三段目の部位３７及び四段目の部位３８をさらに備える。三段目の部位３７は、二段目の部位３６に対して軸線ａｘの方向に隣り合う。三段目の部位３７は、二段目の部位３６に対して、口金５側と反対側に隣り合う。三段目の部位３７は、三つの光源部２及び三つの非光源部３０を含む。三段目の部位３７が含む三つの光源部２及び三つの非光源部３０は、外側から見たときに軸線ａｘを中心とする周方向に沿って交互に隣り合う。三段目の部位３７が含む光源部２及び非光源部３０の数は、上記の数に限定されないことは言うまでもない。三段目の部位３７は、二つまたはそれ以上の光源部２と、二つまたはそれ以上の非光源部３０とを含むものであればよい。
【０１３４】
三段目の部位３７の光源部２は、二段目の部位３６の光源部２に対して、軸線ａｘを中心とする周方向の位置が異なる。三段目の部位３７の光源部２は、軸線ａｘを中心とする周方向の位置に関して、軸線ａｘを中心として二段目の部位３６の光源部２を回転移動した位置にある。三段目の部位３７の光源部２は、一段目の部位３５の光源部２に対して、軸線ａｘを中心とする周方向の位置が同じである。
【０１３５】
四段目の部位３８は、三段目の部位３７に対して軸線ａｘの方向に隣り合う。四段目の部位３８は、三段目の部位３７に対して、口金５側と反対側に隣り合う。四段目の部位３８は、三つの光源部２及び三つの非光源部３０を含む。四段目の部位３８が含む三つの光源部２及び三つの非光源部３０は、外側から見たときに軸線ａｘを中心とする周方向に沿って交互に隣り合う。四段目の部位３８が含む光源部２及び非光源部３０の数は、上記の数に限定されないことは言うまでもない。四段目の部位３８は、二つまたはそれ以上の光源部２と、二つまたはそれ以上の非光源部３０とを含むものであればよい。
【０１３６】
四段目の部位３８の光源部２は、三段目の部位３７の光源部２に対して、軸線ａｘを中心とする周方向の位置が異なる。四段目の部位３８の光源部２は、軸線ａｘを中心とする周方向の位置に関して、軸線ａｘを中心として三段目の部位３７の光源部２を回転移動した位置にある。四段目の部位３８の光源部２は、二段目の部位３６の光源部２に対して、軸線ａｘを中心とする周方向の位置が同じである。
【０１３７】
実施の形態９．
次に、図２５を参照して、実施の形態９について説明するが、上述した実施の形態との相違点を中心に説明し、同一部分または相当部分については説明を簡略化または省略する。
【０１３８】
図２５は、実施の形態９のランプ１Ｊを模式的に示す図である。図２５中、左側はランプ１Ｊの側面図であり、右側はランプ１Ｊの斜視図である。以下に説明する本実施の形態９によれば、前述した実施の形態の効果に類似した効果が得られる。
【０１３９】
ランプ１Ｊは、ランプ１Ｊの軸線ａｘを囲む六つの側面部を備える。ランプ１Ｊの六つの側面部は、第一タイプの側面部及び第二タイプの側面部を含む。第一タイプの側面部は、二つの光源部２と、三つの非光源部３０とを含む。それらの光源部２及び非光源部３０は、軸線ａｘの方向に沿って、交互に並ぶ。第一タイプの側面部は、光源部２に対して軸線ａｘの方向の両側に非光源部３０が隣り合う第一の並び３９と、非光源部３０に対して軸線ａｘの方向の両側に光源部２が隣り合う第二の並び４０と、の双方を備える。
【０１４０】
第二タイプの側面部は、三つの光源部２と、二つの非光源部３０とを含む。それらの光源部２及び非光源部３０は、軸線ａｘの方向に沿って、交互に並ぶ。第二タイプの側面部は、光源部２に対して軸線ａｘの方向の両側に非光源部３０が隣り合う第一の並び４１と、非光源部３０に対して軸線ａｘの方向の両側に光源部２が隣り合う第二の並び４２と、の双方を備える。
【０１４１】
第一タイプの側面部及び第二タイプの側面部は、軸線ａｘを中心とする周方向に沿って、交互に並ぶ。ランプ１Ｊは、第一タイプの側面部を三個備えるとともに第二タイプの側面部を三個備える。
【０１４２】
ランプ１Ｊでは、互いに隣り合う二つの側面部のうちの、一方の側面部の光源部２は、他方の側面部の光源部２に対して、軸線ａｘの方向の位置が異なる。これにより、軸線ａｘの方向に沿った配光をより良好にできる。
【０１４３】
ランプ１Ｊでは、互いに隣り合う二つの側面部のうちの、一方の側面部の光源部２は、他方の側面部の非光源部３０に対して、軸線ａｘの方向の位置について重なりを有する。
【０１４４】
実施の形態１０．
次に、図２６を参照して、実施の形態１０について説明するが、上述した実施の形態との相違点を中心に説明し、同一部分または相当部分については説明を簡略化または省略する。
【０１４５】
図２６は、実施の形態１０のランプ１Ｋを模式的に示す図である。図２６中、左側はランプ１Ｋの側面図であり、右側はランプ１Ｋの斜視図である。以下に説明する本実施の形態１０によれば、前述した実施の形態の効果に類似した効果が得られる。
【０１４６】
ランプ１Ｋは、ランプ１Ｋの軸線ａｘを囲む六つの側面部を備える。ランプ１Ｋの六つの側面部は、第一タイプの側面部及び第二タイプの側面部を含む。第一タイプの側面部は、三つの光源部２と、二つの非光源部３０とを含む。それらの光源部２及び非光源部３０は、軸線ａｘの方向に沿って、交互に並ぶ。第一タイプの側面部は、光源部２に対して軸線ａｘの方向の両側に非光源部３０が隣り合う第一の並び４３と、非光源部３０に対して軸線ａｘの方向の両側に光源部２が隣り合う第二の並び４４と、の双方を備える。
【０１４７】
第二タイプの側面部は、一つの光源部２と、二つの非光源部３０とを含む。それらの光源部２及び非光源部３０は、軸線ａｘの方向に沿って、交互に並ぶ。第二タイプの側面部は、光源部２に対して軸線ａｘの方向の両側に非光源部３０が隣り合う第一の並び４５を備える。第二タイプの側面部は、非光源部３０に対して軸線ａｘの方向の両側に光源部２が隣り合う第二の並びを備えない。
【０１４８】
第一タイプの側面部及び第二タイプの側面部は、軸線ａｘを中心とする周方向に沿って、交互に並ぶ。ランプ１Ｋは、第一タイプの側面部を三個備えるとともに第二タイプの側面部を三個備える。
【０１４９】
ランプ１Ｋでは、互いに隣り合う二つの側面部のうちの、一方の側面部の光源部２は、他方の側面部の光源部２に対して、軸線ａｘの方向の位置が異なる。これにより、軸線ａｘの方向に沿った配光をより良好にできる。
【０１５０】
ランプ１Ｋでは、互いに隣り合う二つの側面部のうちの、一方の側面部の光源部２は、他方の側面部の非光源部３０に対して、軸線ａｘの方向の位置について重なりを有する。
【０１５１】
実施の形態１１．
次に、図２７を参照して、実施の形態１１について説明するが、上述した実施の形態との相違点を中心に説明し、同一部分または相当部分については説明を簡略化または省略する。
【０１５２】
図２７は、実施の形態１１のランプ１Ｌを模式的に示す図である。図２７中、左側はランプ１Ｌの側面図であり、右側はランプ１Ｌの斜視図である。以下に説明する本実施の形態１１によれば、前述した実施の形態の効果に類似した効果が得られる。
【０１５３】
ランプ１Ｌは、ランプ１Ｌの軸線ａｘを囲む六つの側面部を備える。ランプ１Ｌの六つの側面部は、第一タイプの側面部及び第二タイプの側面部を含む。第一タイプの側面部は、二つの光源部２と、一つの非光源部３０とを含む。それらの光源部２及び非光源部３０は、軸線ａｘの方向に沿って、交互に並ぶ。第一タイプの側面部は、光源部２に対して軸線ａｘの方向の両側に非光源部３０が隣り合う第一の並びを備えない。第一タイプの側面部は、非光源部３０に対して軸線ａｘの方向の両側に光源部２が隣り合う第二の並び４６を備える。
【０１５４】
第二タイプの側面部は、一つの光源部２と、二つの非光源部３０とを含む。それらの光源部２及び非光源部３０は、軸線ａｘの方向に沿って、交互に並ぶ。第二タイプの側面部は、光源部２に対して軸線ａｘの方向の両側に非光源部３０が隣り合う第一の並び４７を備える。第二タイプの側面部は、非光源部３０に対して軸線ａｘの方向の両側に光源部２が隣り合う第二の並びを備えない。
【０１５５】
第一タイプの側面部及び第二タイプの側面部は、軸線ａｘを中心とする周方向に沿って、交互に並ぶ。ランプ１Ｌは、第一タイプの側面部を三個備えるとともに第二タイプの側面部を三個備える。
【０１５６】
ランプ１Ｌでは、互いに隣り合う二つの側面部のうちの、一方の側面部の光源部２は、他方の側面部の光源部２に対して、軸線ａｘの方向の位置が異なる。これにより、軸線ａｘの方向に沿った配光をより良好にできる。
【０１５７】
ランプ１Ｌでは、互いに隣り合う二つの側面部のうちの、一方の側面部の光源部２は、他方の側面部の非光源部３０に対して、軸線ａｘの方向の位置について重なりを有する。
【０１５８】
ランプ１Ｌでは、側面部の各々において、光源部２と非光源部３０との間の境界が軸線ａｘに対して斜めになっている。
【０１５９】
実施の形態１２．
次に、図２８を参照して、実施の形態１２について説明するが、上述した実施の形態との相違点を中心に説明し、同一部分または相当部分については説明を簡略化または省略する。
【０１６０】
図２８は、実施の形態１２のランプ１Ｍを模式的に示す図である。図２８中、左側はランプ１Ｍの側面図であり、右側はランプ１Ｍの斜視図である。以下に説明する本実施の形態１２によれば、前述した実施の形態の効果に類似した効果が得られる。
【０１６１】
ランプ１Ｍは、ランプ１Ｍの軸線ａｘを囲む六つの側面部を備える。ランプ１Ｍの六つの側面部の各々は、二つの光源部２と、一つの非光源部３０とを含む。それらの光源部２及び非光源部３０は、軸線ａｘの方向に沿って、交互に並ぶ。当該側面部は、光源部２に対して軸線ａｘの方向の両側に非光源部３０が隣り合う第一の並びを備えない。当該側面部は、非光源部３０に対して軸線ａｘの方向の両側に光源部２が隣り合う第二の並び４８を備える。
【０１６２】
ランプ１Ｍでは、互いに隣り合う二つの側面部のうちの、一方の側面部の光源部２は、他方の側面部の非光源部３０に対して、軸線ａｘの方向の位置について重なりを有する。
【０１６３】
ランプ１Ｍでは、側面部の各々において、光源部２と非光源部３０との間の境界が軸線ａｘに対して斜めになっている。
【０１６４】
実施の形態１３．
次に、図２９を参照して、実施の形態１３について説明するが、上述した実施の形態との相違点を中心に説明し、同一部分または相当部分については説明を簡略化または省略する。
【０１６５】
図２９は、実施の形態１３のランプ１Ｎを模式的に示す図である。図２９中、左側はランプ１Ｎの側面図であり、右側はランプ１Ｎの斜視図である。以下に説明する本実施の形態１３によれば、前述した実施の形態の効果に類似した効果が得られる。
【０１６６】
本実施の形態のランプ１Ｎは、一段目の部位４９及び二段目の部位５０を備える。一段目の部位４９は、三つの光源部２及び三つの非光源部３０を含む。一段目の部位４９が含む三つの光源部２及び三つの非光源部３０は、外側から見たときに軸線ａｘを中心とする周方向に沿って交互に隣り合う。一段目の部位４９が含む光源部２及び非光源部３０の数は、上記の数に限定されないことは言うまでもない。一段目の部位４９は、二つまたはそれ以上の光源部２と、二つまたはそれ以上の非光源部３０とを含むものであればよい。
【０１６７】
二段目の部位５０は、一段目の部位４９に対して軸線ａｘの方向に隣り合う。二段目の部位５０は、一段目の部位４９に対して、口金５側と反対側に隣り合う。二段目の部位５０は、三つの光源部２及び三つの非光源部３０を含む。二段目の部位５０が含む三つの光源部２及び三つの非光源部３０は、外側から見たときに軸線ａｘを中心とする周方向に沿って交互に隣り合う。二段目の部位５０が含む光源部２及び非光源部３０の数は、上記の数に限定されないことは言うまでもない。二段目の部位５０は、二つまたはそれ以上の光源部２と、二つまたはそれ以上の非光源部３０とを含むものであればよい。
【０１６８】
二段目の部位５０の光源部２は、一段目の部位４９の光源部２に対して、軸線ａｘを中心とする周方向の位置が異なる。二段目の部位５０の光源部２は、軸線ａｘを中心とする周方向の位置に関して、軸線ａｘを中心として一段目の部位４９の光源部２を回転移動した位置にある。二段目の部位５０の光源部２は、一段目の部位４９の非光源部３０に対して、軸線ａｘを中心とする周方向の位置が同じである。二段目の部位５０の非光源部３０は、一段目の部位４９の光源部２に対して、軸線ａｘを中心とする周方向の位置が同じである。
【０１６９】
実施の形態１４．
次に、図３０を参照して、実施の形態１４について説明するが、上述した実施の形態との相違点を中心に説明し、同一部分または相当部分については説明を簡略化または省略する。
【０１７０】
図３０は、実施の形態１４のランプ１Ｐを模式的に示す図である。図３０中、左側はランプ１Ｐの側面図であり、右側はランプ１Ｐの斜視図である。以下に説明する本実施の形態１４によれば、前述した実施の形態の効果に類似した効果が得られる。
【０１７１】
本実施の形態のランプ１Ｐは、一段目の部位５１及び二段目の部位５２を備える。一段目の部位５１は、三つの光源部２及び三つの非光源部３０を含む。一段目の部位５１が含む三つの光源部２及び三つの非光源部３０は、外側から見たときに軸線ａｘを中心とする周方向に沿って交互に隣り合う。一段目の部位５１が含む光源部２及び非光源部３０の数は、上記の数に限定されないことは言うまでもない。一段目の部位５１は、二つまたはそれ以上の光源部２と、二つまたはそれ以上の非光源部３０とを含むものであればよい。
【０１７２】
二段目の部位５２は、一段目の部位５１に対して軸線ａｘの方向に隣り合う。二段目の部位５２は、一段目の部位５１に対して、口金５側と反対側に隣り合う。二段目の部位５２は、三つの光源部２及び三つの非光源部３０を含む。二段目の部位５２が含む三つの光源部２及び三つの非光源部３０は、外側から見たときに軸線ａｘを中心とする周方向に沿って交互に隣り合う。二段目の部位５２が含む光源部２及び非光源部３０の数は、上記の数に限定されないことは言うまでもない。二段目の部位５２は、二つまたはそれ以上の光源部２と、二つまたはそれ以上の非光源部３０とを含むものであればよい。
【０１７３】
二段目の部位５２の光源部２は、一段目の部位５１の光源部２に対して、軸線ａｘを中心とする周方向の位置が異なる。二段目の部位５２の光源部２は、軸線ａｘを中心とする周方向の位置に関して、軸線ａｘを中心として一段目の部位５１の光源部２を回転移動した位置にある。二段目の部位５２の光源部２は、軸線ａｘを中心とする周方向の位置に関して、軸線ａｘを中心として一段目の部位５１の光源部２を３０°回転移動した位置にある。
【０１７４】
一段目の部位５１が含む光源部２及び非光源部３０の数の合計をＮとする。二段目の部位５２の光源部２は、軸線ａｘを中心とする周方向の位置に関して、軸線ａｘを中心として一段目の部位５１の光源部２を、１８０°／Ｎの角度だけ、回転移動した位置にあってもよい。二段目の部位５２が含む光源部２及び非光源部３０の数の合計をＭとする。二段目の部位５２の光源部２は、軸線ａｘを中心とする周方向の位置に関して、軸線ａｘを中心として一段目の部位５１の光源部２を、１８０°／Ｍの角度だけ、回転移動した位置にあってもよい。
【符号の説明】
【０１７５】
１Ａ，１Ｂ，１Ｃ，１Ｄ，１Ｅ，１Ｆ，１Ｇ，１Ｈ，１Ｊ，１Ｋ，１Ｌ，１Ｍ，１Ｎ，１Ｐ  ランプ、  ２  光源部、  ２ａ  光源素子、  ２ｂ  透光性カバー、  ２ｃ  ソケット、  ３  通気部、  ４  フィン、  ４ａ  第一部分、  ４ｂ  第二部分、  ５  口金、  ６  第一フレーム、  ７  第二フレーム、  ８  接続部、  １１  第一の並び、  １２  第二の並び、  １３  一段目の部位、  １４  二段目の部位、  １５  三段目の部位、  １６  四段目の部位、  １７  給電線、  １８  中空部、  １９  被支持部、  ２０  支柱、  ２１  躯体、  ２３  フィン、  ２４  被支持部、  ２５  躯体、  ２５ａ  第一表面、  ２５ｂ  第二表面、  ２６，２７  躯体、  ２７ａ  第一部位、  ２７ｂ  第二部位、  ２９  躯体、  ２９ａ  第一部位、  ２９ｂ  第二部位、  ２９ｃ  第三部位、  ３０  非光源部、  ３１  一段目の部位、  ３２  二段目の部位、  ３３  三段目の部位、  ３４  四段目の部位、  ３５  一段目の部位、  ３６  二段目の部位、  ３７  三段目の部位、  ３８  四段目の部位、  ３９  第一の並び、  ４０  第二の並び、  ４１  第一の並び、  ４２  第二の並び、  ４３  第一の並び、  ４４  第二の並び、  ４５  第一の並び、  ４６  第二の並び、  ４７  第一の並び、  ４８  第二の並び、  ４９  一段目の部位、  ５０  二段目の部位、  ５１  一段目の部位、  ５２  二段目の部位
【図１】
0006350594.tif 000002
【図２】
0006350594.tif 000003
【図３】
0006350594.tif 000004
【図４】
0006350594.tif 000005
【図５】
0006350594.tif 000006
【図６】
0006350594.tif 000007
【図７】
0006350594.tif 000008
【図８】
0006350594.tif 000009
【図９】
0006350594.tif 000010
【図１０】
0006350594.tif 000011
【図１１】
0006350594.tif 000012
【図１２】
0006350594.tif 000013
【図１３】
0006350594.tif 000014
【図１４】
0006350594.tif 000015
【図１５】
0006350594.tif 000016
【図１６】
0006350594.tif 000017
【図１７】
0006350594.tif 000018
【図１８】
0006350594.tif 000019
【図１９】
0006350594.tif 000020
【図２０】
0006350594.tif 000021
【図２１】
0006350594.tif 000022
【図２２】
0006350594.tif 000023
【図２３】
0006350594.tif 000024
【図２４】
0006350594.tif 000025
【図２５】
0006350594.tif 000026
【図２６】
0006350594.tif 000027
【図２７】
0006350594.tif 000028
【図２８】
0006350594.tif 000029
【図２９】
0006350594.tif 000030
【図３０】
0006350594.tif 000031